(57)【要約】【課題】イージーオープン缶を容器に、特に円滑に開口することができる缶オープナーを提供する【解決手段】イージーオープン缶の缶蓋２１に取り付けられているタブ２２に開口動作を与える缶オープナー１であって、タブ２２のリング２５に差し込み可能な差し込み舌片２と、差し込み舌片２の後方に配置されていて缶蓋２１上を転動可能な転動部３と、及び手指で把持可能な把持部４とを備える。この発明によれば、イージーオープン缶における初期開口の形成及びスコアーの引き裂きの両方を同一の器具で行うことができるので、部材数が少なくてすみ、取り扱いが容易である。開口はてこ作用を利用して行うので開口部に拡大された静的な大きな力を作用させることができ、開口動作がきわめて円滑になる。こうしてこの発明では、イージーオープン缶を容易に、特に円滑に開口することができる缶オープナーを得ることができる。【選択図】　　図１
2004059099.tif 000002
【特許請求の範囲】
【請求項１】
イージーオープン缶の缶蓋に取り付けられているタブに開口動作を与える缶オープナーであって、前記タブのリングに差し込み可能な差し込み舌片と、前記差し込み舌片の後方に配置されていて缶蓋上を転動可能な転動部と、及び手指で把持可能な把持部とを備えることを特徴とする缶オープナー。
【請求項２】
前記差し込み舌片と前記転動部と前記把持部とを円環状に連設して備えることを特徴とする請求項１記載の缶オープナー。
【請求項３】
前記差し込み舌片と前記転動部と前記把持部とを三つの頂点をもつ大略三角形状の非円形環状に連設して備えることを特徴とする請求項１記載の缶オープナー。
【請求項４】
前記転動部に前記イージーオープン缶の巻締部を受け入れ可能な受け溝を設けてあることを特徴とする請求項３記載の缶オープナー。
【請求項５】
前記差し込み舌片と前記転動部との組み合わせは２組が対向して形成されていることを特徴とする請求項１、２、３または４記載の缶オープナー。
【請求項６】
前記対向する組における前記両差し込み舌片は同じ幅に構成され、または異なる幅に構成されていることを特徴とする請求項５記載の缶オープナー。
【発明の詳細な説明】
【０００１】
【産業上の利用分野】
この発明はイージーオープン缶をタブを操作して開封する場合の補助具に関するものである。
【０００２】
【従来の技術】
イージーオープン缶は、金属製の缶蓋に開口予定形状に沿ってスコアーを形成しておいて、また、缶蓋にリング付きのタブをリベッド止めで固定しており、金属缶を開口する場合には、タブを引っ張って缶蓋をスコアーに沿って切り裂き開口させる。このイージーオープン缶には缶蓋を部分的に引き裂いて開口部を形成するパーシャルオープン缶と、缶蓋のほとんど全面を引き裂いて開口部を形成するフルオープン缶とがあって、前者は主として液体内容物の金属缶に用いられ、後者は主として固形内容物の金属缶に用いられるが、いずれも缶切りを用いずに開缶することができるので、大変便利である。
【０００３】
【課題】
イージーオープン缶の缶蓋をタブを用いて開口させるための操作としては、まずタブ後端のリングを真上に引き上げてリベットを中心にしてタブをてこの作用で回転させ、タブの先端を缶蓋に突き立てて初期開口を形成し、次にリングを後上方に引っ張って、リベットを介して缶蓋を引っ張り、缶蓋をスコアーに沿って引き裂く。
【０００４】
しかるに、タブは缶蓋上の狭い設置場所の制約から、長さを大きくとれないので、てこの作用による力拡大機能を充分に発揮させることができないので、初期開口を形成するために比較的大きな力を必要とする。また、缶蓋に形成したスコアーの深さにも制限があるので、缶蓋を引き裂くための力もかなり大きなことを要する。
【０００５】
これら缶蓋を開口させる力を動的に作用させると、金属缶が振動して内容物があふれ出る恐れがある。このようなことから、イージーオープン缶も老幼者にとっては開缶が容易ではなかった。
【０００６】
そこで、イージーオープン缶を開口する場合に使用する補助具が考えられた（実用新案登録第３００７６９２号公報参照）。しかし、この従来の開口補助具は棒状または板状をなしていて、先端をタブの下に差し込み、後端のリングを手指で押し上げてタブを下降させ、缶蓋を押し切って開口するものである。
【０００７】
しかし、この従来の開口補助具はその先端とタブとの係合状態が不安定であって、その先端の差し込み状態によって開口に要する力がかならずしも一定しない。また開口補助具の先端はリングに係止していないので、リングを引くことができず、したがって引き裂き位置がスコアーに沿って進行するフルオープンの缶蓋には適用することができない。
【０００８】
この発明は上記の如き事情に鑑みてなされたものであって、イージーオープン缶を容易に、特に円滑に開口することができる缶オープナーを提供することを目的とするものである。
【０００９】
【構成】
この目的に対応して、この発明の缶オープナーは、イージーオープン缶の缶蓋に取り付けられているタブに開口動作を与える缶オープナーであって、前記タブのリングに差し込み可能な差し込み舌片と、前記差し込み舌片の後方に配置されていて缶蓋上を転動可能な転動部と手指で把持可能な把持部とを備えることを特徴としている。
【００１０】
【実施態様】
以下この発明の詳細を一実施の態様を示す図面について説明する。
図１から図４において、１は缶オープナーである。缶オープナー１はイージーオープン缶の缶蓋に取り付けられているタブに開口動作を与える器具である。缶オープナー１は差し込み舌片２と転動部３と把持部４とを連設して備えている。差し込み舌片２はタブのリングに差し込み可能な幅Ｗ（Ｗ１、Ｗ２）を有し、先端部５が薄肉の尖鋭に形成され、基端部６が厚肉に形成されており、この基端部６が転動部３に連設している。
【００１１】
転動部３は外周面が円弧面をなす転動面７になっており、この転動面７は缶蓋上を転動可能である。転動部３の後端は把持部４の先端に連設している。
【００１２】
把持部４は手指で把持して缶オープナー１を操作する部分である。
【００１３】
差し込み舌片２、転動部３及び把持部４は順に連設されて一体をなしていて、缶オープナー１の操作には方向性がある。差し込み舌片２、転動部３及び把持部４の組み合わせは一組あればタブに必要な開口動作を与えるのに充分な機能を持つが、仮に、操作者の手に右利きまたは左利きの違いがあるように、缶オープナーの操作に方向性がある場合に、その両方向の操作性を同時に満たすためには、差し込み舌片２、転動部３及び把持部４の組み合わせを向かい合わせて対称に配置する。または、異なる大きさのタブをもつ多種類のイージーオープン缶に適用するために、２種類の差し込み舌片を１つの缶オープナーに見えさせる場合も、２組を向かい合わせに配置する。
【００１４】
図１から図４に示したものはそのように対称に配置した缶オープナー１である。缶オープナー１は全体として円環状をなしている。右方向操作時の転動部３は左方向操作時には手指で把握する把持部として利用することができる。
【００１５】
なお、把持部４にリブを設けて滑り止めとすることができ、また向かい合わせに延在する差し込み舌片２の幅を異なる幅Ｗ１、Ｗ２として、また長さが異なるものＬ１、Ｌ２にして違う形状のタブの缶に対しても使用可能とすることができる。このことは、後述する缶オープナー１ｂについても同じである。
【００１６】
次にこのように構成された缶オープナー１を使用した開口操作を説明する。
まず図５に示すように、缶オープナー１を手指で把持し、次に図６に示すように缶蓋２１の上に缶オープナー１を立てた状態で位置させる。このとき缶蓋２１のタブ２２の先端のとび口２３、リベット２４、リング２５が一直線に並ぶ前後方向と、缶オープナー１の差し込み舌片２と転動部３と把持部４が並ぶ前後方向を一致させておく。
【００１７】
次に缶蓋２１のリング２５に後方下から差し込み舌片２を差し込む。次に把持部４を手指で把握して転動部３を缶蓋２１上で矢印２６で示すように後方に転動させて缶オープナー１を回転させる。この回転によって差し込み舌片２には転動部３と缶蓋２１の接触位置を瞬間中心として回転して変位を生じその変位には、上方への変位成分と後方への変位成分とが含まれるが、後方への変位成分は差し込み舌片２がリング２５から抜け出す方向に作用するので、このとき缶オープナー１を必要に応じて前方に直線変位させて後方への変位成分を解消し、上方への変位成分だけを残す。この回転が進むにつれて転動部３と缶蓋２１との接触位置が後方に移動し、差し込み舌片２が上昇し、タブ２２のリング２５を引き上げて上昇させる。リング２５が上昇すると、リベット２４が支点となって先端のとび口２３が下降し、缶蓋２１のスコアー２６の近傍部分を押し破って初期開口２７を形成する。
【００１８】
次に今度は缶オープナー１を前方に直線変位させないで、そのまま転動部３を後方へ回転を進めると、差し込み舌片２の後方への変位成分が増加し、差し込み舌片２がリング２５を後方に引っ張り、リベット２４で連結している缶蓋２１をスコアー２６に沿って引き裂いて開口を完了させる。
【００１９】
【第２の実験態様】
図７から図１０には、この発明の他の実施態様に係る缶オープナー１ｂが示されている。この缶オープナー１ｂは先に説明した缶オープナー１に較べて、全体の形状が円環ではなく大略三角形の環になっている点及び転動面７の後端部に受け溝８が設けられている点で異なっている。
【００２０】
すなわち、缶オープナー１ｂは差し込み舌片２と転動部３と把持部４とを連設して２組対称に対向させて備えている。差し込み舌片２とその後端に続く転動部３の先端部分３ａとが半径の大きな円弧１１ａ上に形成され、また転動部３の後端部分３ｂが半径の大きな円弧１１ａ上に形成され、大きな円弧１１ａの間に半径の小さな円弧１１ｂが設けられている結果、缶オープナー１ｂは正面図形で大略大きな円弧１１ａを３辺、小さな円弧１１ｂを頂点とする三角形状になっている。転動面７の後端部に受け溝８が設けられている。この受け溝８は缶蓋２１の突出した巻締部２８（図１１参照）に跨って、巻締部２８を保持しつつ巻締部２８をてこの支点として利用するために設けられたものである。
【００２１】
このように構成された缶オープナー１ｂは、特にフルオープンのイージーオープン缶を開口させる場合に使用して有利である。すなわち、図１２に示すように、フルオープンの場合は缶オープナー１ｂが転動する缶蓋２１自体が引き裂きの対象であるので、スコアーに沿った引き裂きが進行すると、缶オープナー１ｂがてこ作用を発揮する場合の支点となるべき缶蓋部分が無くなってしまう。したがって缶オープナー１ｂを受け溝８を利用して缶蓋の巻締部２８に支持させて、巻締部２８を支点として利用するものである。
【００２２】
以上説明した缶オープナーを収納する場所として開缶対象であるイージーオープン缶とは別の場所に缶オープナーを置くことは可能であるが、缶オープナーをイージーオープン缶の近傍、特にイージーオープン缶に取り付けて収納ししておくこともできる。この場合は、缶オープナーが全体として円弧状または環状をなしている場合には、その形状を利用して、イージーオープン缶の缶胴の外周または巻締部の外周に緩く外嵌し、または巻締部に囲まれた缶蓋上に内嵌させて収納することができる。
【００２３】
【発明の効果】
この発明によれば、イージーオープン缶における初期開口の形成及びスコアーの引き裂きの両方を同一の器具で行うことができるので、部材数が少なくてすみ、取り扱いが容易である。開口はてこ作用を利用して行うので開口部に拡大された静的な大きな力を作用させることができ、開口動作がきわめて円滑になる。こうしてこの発明では、イージーオープン缶を容易に、特に円滑に開口することができる缶オープナーを得ることができる。
【００２４】
【図面の簡単な説明】
【図１】缶オープナーの正面図
【図２】缶オープナーの平面図
【図３】缶オープナーの底面図
【図４】図１におけるＢ−Ｂ´部断面図
【図５】缶オープナーの使用状態を示す正面図
【図６】缶蓋と缶オープナーの接触状態の変化を示す正面図
【図７】他の缶オープナーの正面図
【図８】他の缶オープナーの平面図
【図９】他の缶オープナーの底面図
【図１０】図７におけるＢ−Ｂ´部断面図
【図１１】他の缶オープナーの使用状態を示す正面図
【符号の説明】
１　　缶オープナー
２　　差し込み舌片
３　　転動部
４　　把持部
５　　先端部
６　　基端部
７　　転動面
８　　受け溝
２１　缶蓋
２２　タブ
２３　とび口
２４　リベット
２５　リング
２６　スコアー
２７　初期開口
２８　巻締部
【図１】
2004059099.tif 000003
【図２】
2004059099.tif 000004
【図３】
2004059099.tif 000005
【図４】
2004059099.tif 000006
【図５】
2004059099.tif 000007
【図６】
2004059099.tif 000008
【図７】
2004059099.tif 000009
【図８】
2004059099.tif 000010
【図９】
2004059099.tif 000011
【図１０】
2004059099.tif 000012
【図１１】
2004059099.tif 000013